Podtech/llm-jp-corpus-v4-ja_patent huggingface dataset:
(57)【要約】      （修正有）【課題】広大な敷地が不要で、十分な発電効果が得られる住宅用屋内風力発電装置を提供する。【解決手段】住宅の屋根裏と壁と床に沿ってループ状に形成されたパイプ２と、パイプの貫通方向に設置された送風機４と、パイプの貫通方向に縦列に設置された複数の風力発電機３と、複数の風力発電機の夫々に設けられた羽根に近接してパイプの内壁に設けられた風誘導板を備える。送風機は、初期稼働時にのみ外部電力を使用し、風力発電機が稼働した後は、風力発電機の発電電力を供給して送風機を稼働させるように制御する手段を備えるのが好ましい。【選択図】図１
0003192900.tif 000002
【実用新案登録請求の範囲】
【請求項１】
住宅の屋根裏から壁を伝い床下までをパイプでループ状につなぎ、パイプ内に設置された送風機と貫通方向に設置された風力発電機と、該縦列に複数設置された風力発電機の羽根に近接し、パイプ壁に夫々設置された風誘導板と、からなる住宅用屋内風力発電装置。
【請求項２】
送風機でパイプ内の空気を循環させ風力発電機で常に安定した電力を供給できる。また送風機の電力は初稼働時のみ外部電力を使用するが、風力発電機稼働後は、発電した電力で送風機の電気もまかなう住宅用屋内風力発電装置。
【考案の詳細な説明】
【技術分野】
【０００１】    本考案は屋内の屋根裏から壁を伝い床下までをパイプでループ状に設置し、送風機でパイプ内の風を循環させ、パイプ内で複数の風力発電機を稼働する住宅用屋内風量発電システムに関する。
【背景技術】
【０００２】    従来の住宅用風力発電装置には、風の方向に対し羽の向きを変える必要があります。また落雷、騒音問題、十分な電力の供給ができない等の問題があります。これらの問題を解消するため、風力発電機を住宅屋内のパイプの中に設置することで上記の問題を解消する技術が提案されている。
【先行技術文献】
【特許文献】
【０００３】
【特許文献１】特開２０１３−１９８２０１
【考案の概要】
【考案が解決しようとする課題】
【０００４】    しかしながら、上記従来の風力発電装置では住宅用としては広大な敷地が必要であり、また市場に出回っている住宅用の風力発電装置では、騒音などに関しては何らの考慮もされておらず、発電効果も十分なものではなかった。
【課題を解決するための手段】
【０００５】    本考案は、上記課題を解決することを目的としており、建物自体を住宅用屋内風力発電装置にすることを最も主要な特徴とする。
【考案の効果】
【０００６】  ループ状になっているパイプ内に送風機で一定方向の風を循環させ風力発電機で安心、安全な発電が可能となる。また昼夜問わず発電でき災害等による停電もなくなる。
【図面の簡単な説明】
【０００７】
【図１】本考案の住宅用風力発電装置の全体側面図である。
【図２】全体側面図３の風力発電と風誘導版の拡大側面図である。
【図３】パイプ内部の風力発電機と風誘導板の正面から見た断面図である。
【図４】全体側面図４の送風機の拡大側面図である。
【考案を実施するための形態】
【０００８】    本発明の風力発電装置は屋根裏から壁を伝い床下にパイプをループ状に設置し送風機でパイプ内に一定方向からの風を循環する、パイプ内に複数の風力発電機を縦列配置し、且つ風力発電機と風力発電機の間には風がうまく次の羽根にあたる様、風の誘導板をパイプ壁に設置することで全ての風力発電機を効率良く稼働し発電する。また風力発電で発電した電気で送風機の電気もまかなう。以下、図面に従って本考案の一実施例を説明する。
【実施例】
【０００９】    図１は、本考案の住宅用屋内風力発電装置の実施例の全体側面図であって１は建屋の外枠、２はパイプ壁、３は風力発電装置、４は送風機、９はパイプ内の風の流れを示す。【００１０】    図２は、本考案の住宅用屋内風力発電装置の実は施例の図１Ａの発電機拡大図であって２はパイプ壁、５は発電機、６は羽根、７羽根と発電機を繋ぐ軸、８は風誘導板、９はパイプ内の風の流れ、１０は羽根と軸と発電機を支える支柱を示す。【００１１】    図３は、本考案の住宅用屋内風力発電装置の実は施例の図２のＣ−Ｃ線断面図であって２はパイプ壁、５は発電機、６は羽根、８は風誘導板、１０は羽根と軸と発電機を支える支柱を示す。【００１２】    図４は、本考案の住宅用屋内風力発電装置の実は施例の図１Ｂの送風機拡大図であって２はパイプ壁、１１はモーター、１２は羽根、１３は羽根とモーターを繋ぐ軸、１４は羽根と軸とモーターを支える支柱、９はパイプ内の風の流れを示す。
【産業上の利用可能性】
【００１３】    住宅１軒分の電力供給を可能とするものである。
【符号の説明】
【００１４】  １    建屋の外枠
２    パイプ壁
３    風力発電機
４    送風機
５    風力発電機
６    風力発電機の羽根
７    風力発電機の羽根と発電モーターを繋ぐ軸
８    風誘導板
９    パイプ内の風の流れ
１０  風力発電機の羽根と軸と発電機を支える支柱
１１  送風機のモーター
１２  送風機の羽根
１３  送風機の羽根とモーターを繋ぐ軸
１４  送風機の羽根と軸とモーターを支える支柱
【図１】
0003192900.tif 000003
【図２】
0003192900.tif 000004
【図３】
0003192900.tif 000005
【図４】
0003192900.tif 000006
【手続補正書】
【提出日】平成26年6月26日(2014.6.26)
【手続補正１】
【補正対象書類名】実用新案登録請求の範囲
【補正対象項目名】全文
【補正方法】変更
【補正の内容】
【実用新案登録請求の範囲】
【請求項１】
住宅の屋根裏と壁と床に沿ってループ状に形成されたパイプと、該パイプの貫通方向に設置された送風機と、前記パイプの貫通方向に縦列に設置された複数の風力発電機と、該複数の風力発電機の夫々に設けられた羽根に近接して前記パイプの内壁に設けられた風誘導板を備えたことを特徴とする住宅用屋内風力発電装置。
【請求項２】
前記送風機は、初期稼働時にのみ外部電力を使用して前記風力発電機を稼働させ、該風力発電機が稼働した後は、該風力発電機の発電した電力を供給して前記送風機を稼働させるように制御する手段を備えたことを特徴とする請求項１に記載の住宅用屋内風力発電装置。
(57)【要約】      （修正有）【課題】傘のデザイン性を高める装飾パーツ連結仕様露先を提供する。【解決手段】傘の骨構造と生地部分を繋ぐパーツである露先に穴をあけ、他パーツを連結できる仕様にする。【選択図】図１
0003192898.tif 000002
【実用新案登録請求の範囲】
【請求項１】
傘の骨構造と生地部分を繋ぐパーツである露先を他パーツを連結できる仕様にすることにより、
デザイン性を高める点
【考案の詳細な説明】
【技術分野】
【０００１】
日用品
【考案の概要】
【課題を解決するための手段】
【０００２】
傘の骨構造と生地部分を繋ぐパーツである露先を他パーツを連結できる仕様にすることにより、
デザイン性を高める
【表１】
0003192898.tif 000003
【図面の簡単な説明】
【０００３】
【図１】装飾パーツ連結仕様露先
【考案を実施するための形態】
【０００４】
表1参照
【実施例】
【０００５】
表1参照
【図１】
0003192898.tif 000004
【手続補正書】
【提出日】平成26年7月10日(2014.7.10)
【手続補正１】
【補正対象書類名】実用新案登録請求の範囲
【補正対象項目名】全文
【補正方法】変更
【補正の内容】
【実用新案登録請求の範囲】
【請求項１】
傘の骨構造と生地部分を繋ぐパーツである露先に穴をあけ、他パーツを連結できる仕様にすることでデザイン性を高める装飾パーツ連結仕様露先。
【手続補正２】
【補正対象書類名】明細書
【補正対象項目名】０００２
【補正方法】変更
【補正の内容】
【０００２】
傘の骨構造と生地部分を繋ぐパーツである露先に穴をあけ、他パーツを連結できる仕様にすることでデザイン性を高める装飾パーツ連結仕様露先。
(57)【要約】      （修正有）【課題】人々の足の余分な熱を吸収し、足の不快感をなくし、夏等の不快になりやすい季節などに可能な限り熱感ストレスを軽減でき、熱中症の予防になる等、快適に過ごせ、また、スリッパを洗濯して使用し続ける事で半永久的に使用できるスリッパを提供する。【解決手段】内部空間を設けた底部と、底部側面にファスナーとを有するスリッパであって、ファスナーを開閉することで内部空間に冷却素材を内蔵できることを特徴とする。また、冷却素材を取り出してスリッパを洗濯可能とした。【選択図】図１
0003192892.tif 000002
【実用新案登録請求の範囲】
【請求項１】
スリッパ底部に冷却ジェル等の冷却素材内蔵構造であること。
スリッパの底部内部に冷却ジェル等、冷却する素材を内蔵していること。それによって、その冷却効果が履いた時に足の裏面に正確に伝わる事。つまり、冷却素材の効果が得られる事。
【請求項２】
冷却素材を取り出してスリッパを洗濯可能であること。
スリッパが汚れた時には、冷却ジェルなどの冷却素材および冷却素材保護素材（プラスチック等）を取り出す事ができ、スリッパ本体を洗うことが可能であること。それによってスリッパの使い捨てではなく、環境に優しく何度も使用できる。
【請求項３】
冷却素材はファスナー等を開閉して出し入れ何度でも可能であること。
冷却ジェルなどの冷却素材はファスナーなどを開閉して、出し入れが何度でも可能であることによってスリッパを洗濯しても冷却ジェルを再度入れて使用する事が可能である。つまり、取り出すだけではなく、再度使用出来る様な仕様になっていること。
【請求項４】
スリッパ底部の内部構造が体重に耐えれる構造であること。
スリッパの内部構造および冷却素材が体重などによってつぶれない構造になっていること。安全かつ安定的な使用のために重要である。
【請求項５】
スリッパ底部の冷却素材が歩いた時に動いたりずれたりしないための「冷却素材ズレ防止ポール」を底部空間に７カ所程度以上設けること。
これによって冷却素材のズレを予防でき、快適に歩ける。
【考案の詳細な説明】
【先行技術文献】
【特許文献】
【特許文献】登録実用新案第３０６６６３５号
【図面の簡単な説明】
【図１】「製品の概要を示した全体図である。」
【図２】「製品を上から見た上面図である。」
【図３】「製品底部の水平断面図と垂直断面図である。」
【図４】「製品の冷却素材包含部を示した断面図である。」
【図５】「製品底部の断面を表した図である。」
【図６】「製品の側面を表した図である。」
【図７】「製品底部をファスナーなどで開閉した時の上から見た図である。」
【図１】
0003192892.tif 000003
【図２】
0003192892.tif 000004
【図３】
0003192892.tif 000005
【図４】
0003192892.tif 000006
【図５】
0003192892.tif 000007
【図６】
0003192892.tif 000008
【図７】
0003192892.tif 000009
【手続補正書】
【提出日】平成25年11月19日(2013.11.19)
【手続補正１】
【補正対象書類名】実用新案登録請求の範囲
【補正対象項目名】全文
【補正方法】変更
【補正の内容】
【実用新案登録請求の範囲】
【請求項１】
履物底部に冷却ジェル等の冷却素材を内蔵できる構造を特徴とするスリッパ。
【請求項２】
冷却素材を取り出してスリッパを洗濯可能であることを特徴とする請求項１記載のスリッパ。
【請求項３】
冷却素材はファスナー等を開閉して何度でも出し入れでき、再使用可能である事を特徴とする請求項１記載のスリッパ。
【請求項４】
スリッパ底部の内部構造が体重に耐えれる構造であることを特徴とする請求項１記載のスリッパ。
【請求項５】
スリッパ底部の冷却素材が歩いた時に動いたりずれたりしないための「冷却素材ズレ防止器具」を底部空間に数カ所設けることを特徴とする請求項１記載のスリッパ。
【請求項６】
その冷却効果が履いた時に足の裏面に正確に伝わる素材・構造となっている請求項１記載のスリッパ。
【手続補正書】
【提出日】平成26年3月24日(2014.3.24)
【手続補正１】
【補正対象書類名】実用新案登録請求の範囲
【補正対象項目名】全文
【補正方法】変更
【補正の内容】
【実用新案登録請求の範囲】
【請求項１】
履物底部に冷却素材を内蔵できる構造を特徴とし、ファスナーが底部側面についたスリッパ。
【請求項２】
冷却素材を取り出してスリッパを洗濯可能であることを特徴とする請求項１記載のスリッパ。
【請求項３】
冷却素材はファスナーを開閉して何度でも出し入れでき、再使用可能である事を特徴とする請求項１記載のスリッパ。
【請求項４】
スリッパ底部に円柱のパーツを設け、内部構造が体重に耐えれる構造であることを特徴とする請求項１記載のスリッパ。
【請求項５】
スリッパ底部に設けた「円柱」は「冷却素材ズレ防止器具」でもあり、冷却素材が歩いた時に動いたりずれたりしないための円柱パーツを底部空間に数カ所設けることを特徴とする請求項１記載のスリッパ。
【請求項６】
スリッパが人の足の裏に触れる面の構成は薄い素材でできており、その冷却効果が履いた時に足の裏面に伝わる素材・構造となっている請求項１記載のスリッパ。
【手続補正書】
【提出日】平成26年6月16日(2014.6.16)
【手続補正１】
【補正対象書類名】実用新案登録請求の範囲
【補正対象項目名】全文
【補正方法】変更
【補正の内容】
【実用新案登録請求の範囲】
【請求項１】
内部空間を設けた底部と、底部側面にファスナーとを有するスリッパであって、ファスナーを開閉することで内部空間に冷却素材を内蔵できることを特徴とするスリッパ。
【請求項２】
冷却素材を取り出してスリッパを洗濯可能としたことを特徴とする請求項１記載のスリッパ。
【請求項３】
冷却素材はファスナーを開閉して何度でも出し入れでき、再使用可能である事を特徴とする請求項１記載のスリッパ。
【請求項４】
内部空間内に、内部空間の上面と底面とを支える円柱のパーツを設けることで、体重に耐えられる構造としたことを特徴とする請求項１記載のスリッパ。
【請求項５】
円柱は内部空間に複数箇所設けられ、これにより、冷却素材が歩いた時に動いたりずれたりしないようにしたことを特徴とする請求項４記載のスリッパ。
【請求項６】
スリッパが人の足の裏に触れる面は薄い素材でできており、その冷却効果が履いた時に足の裏面に伝わる素材・構造となっている請求項１記載のスリッパ。
(57)【要約】      （修正有）【課題】握力の弱い人でも容易にペットボトルのキャップを開けることができるペットボトルキャップ及びペットボトルキャップを開ける器具を提供する。【解決手段】本体１は、手でつかみやすく、開けやすくするためにペットボトルキャップの外側の外周部分を多角形にする。さらに、器具２の多角形のくぼみ部分を本体１にはめ、容易に開けられるようにする。【選択図】図３
0003192812.tif 000002
【実用新案登録請求の範囲】
【請求項１】
本体（１）の外側の外周部分を多角形にすることによって、手でつかみやすく、開けやすくすることができるペットボトルキャップ。
【請求項２】
本体（１）を容易に開ける為に、多角形のくぼみ部分を持ち、回しやすくするために手裏剣の様な羽根の形状を持つペットボトルキャップを開ける器具。
【考案の詳細な説明】
【技術分野】
【０００１】  本考案は、ペットボトルキャップの外側の外周部分を多角形にして、つかみやすく開けやすくしたものである。
【考案の概要】
【考案が解決しようとする課題】
【０００２】  ペットボトルキャップは手の弱い人には開けにくい。本考案は、この課題を解消するためになされたものである。
【課題を解決するための手段】
【０００３】  ペットボトルキャップの外側の外周部分を多角形にすることによって、手でつかみやすくして、開けやすくした。さらに、器具（２）の多角形のくぼみ部分に本体（１）をはめ、容易に開けられるようにした。
【考案の効果】
【０００４】  このようにすれば、使用する時ペットボトルキャップを容易に開けることができる。
多角形にすることによって、本体（１）と器具（２）の引っかかりが良くなる。
【図面の簡単な説明】
【０００５】
【図１】  外側の外周部分が多角形のペットボトルキャップの全体図
【図２】  多角形のくぼみ部分を持つペットボトルキャップを開ける器具の全体図。
【図３】  外側の外周部分が多角形のペットボトルキャップとそれを開ける器具の全体図
【考案を実施するための形態】
【０００６】  外側の外周部分が多角形のペットボトルキャップにすることによって、手でつかみやすく、開けやすいようにする。さらに、器具（２）の多角形のくぼみ部分にはめ、容易に開けられるようにする。
【符号の説明】  １  本体
２  器具
【図１】
0003192812.tif 000003
【図２】
0003192812.tif 000004
【図３】
0003192812.tif 000005
(57)【要約】      （修正有）【課題】容易に般若心経を親しむことができる玩具としてのブロックパズルを提供する。【解決手段】般若心経を記したサイコロ状のブロック１を並べるという単純作業により般若心経全文を構成せしめることができる。収納箱２は、般若心経を構成せしめるブロックを並べて収容するための箱であり、行間にスペーサ３を設ける。【選択図】図１
0003192802.tif 000002
【実用新案登録請求の範囲】
【請求項１】
般若心経の各文字を記したサイコロ状のブロックを並べることにより般若心経全文を構成せしめるブロックパズル
【考案の詳細な説明】
【技術分野】
【０００１】本考案は、般若心経に親しむための玩具である、般若心経を記したブロックパズルに関する。
【技術背景】
【０００２】心の安らぎを求めるため、又、集中力を向上させるために般若心経に親しむ人々は数多く、その方法としては、経を読むこと、経の書き写し、白抜きされた経の塗りつぶしなどが知られている。
【先行技術文献】
【特許文献】
【０００３】
【特許文献１】登録実用新案第３１２７４５０号
【非特許文献】
【０００４】
【非特許文献１】「わたしの般若心経入門」、説話社、Ｐ２
【考案の概要】
【本考案が解決しようとする課題】
【０００５】しかしながら、身体的にハンディがある場合など、経を読むことや書き写すことが困難な方もいる。
【０００６】そこで、本考案は、より多くの方が、容易に般若心経を親しむことができる玩具を提供することを課題とする。
【課題を解決するための手段】
【０００７】以上の課題を解決するために、般若心経を記したサイコロ状のブロックを並べるという単純作業により般若心経全文を構成せしめる、般若心経を記したブロックパズルを考案した。
【考案の効果】
【０００８】本考案による般若心経を記したブロックパズルを使用した場合、ブロックを動かすという単純作業で般若心経全文を構成せしめることできるため、より多くの人が容易に般若心経を親しむことが可能となる。
【０００９】さらには、ブロックを動かす際には指先を使うことになるため、脳の活性化を図ることができる。
【図面の簡単な説明】
【００１０】
【図１】  本考案の一実施形態を示す全容図である
【図２】  図１の部分拡大図である
【考案を実施するための形態】
【００１１】本考案の一実施形態を図１、及び図２に示す。
【００１２】図１は本考案の一実施形態を示す全容図である。ブロック１はサイコロ状であり、般若心経の各文字が記されている。各文字は印字、シール等で記される。収納箱２は、般若心経全文を構成せしめるブロック１を並べて収容するための箱である。
【００１３】図２は、図１の部分拡大図である。収納箱２の枠はブロック１の高さより低くし、又、ブロック１の行間にスペーサー３を設けることにより、ブロック１の移動が容易になる。
【符号の説明】
【００１４】１  ブロック
２  収納箱
３  スペーサー
【図１】
0003192802.tif 000003
【図２】
0003192802.tif 000004
(57)【要約】      （修正有）【課題】各種定規を配置したフィルムシートに紛失防止および収納のケースを加え、使用場所の制限や携帯性の向上など、利便性を高めた収納ケース付定規セットを提供する。【解決手段】フィルムシート材料にトムソン打ち抜きで加工を施し、シートより切り離すことで直定規ａ、三角定規ｄ、２等辺三角定規ｂ、分度器ｃとして使用できる部品が配置され、かつトムソン打ち抜きで加工され組み立てることでケース２となる構造を持つ部品が配置されている。【選択図】図１
0003192666.tif 000002
【実用新案登録請求の範囲】
【請求項１】
フィルムシート材料にトムソン打ち抜きで加工を施し、シートより切り離すことで直定規、三角定規、２等辺三角定規、分度器として使用できる部品が配置され、かつトムソン打ち抜きで加工された組み立てることでケースとなる構造を持つ部品が配置されている事を特徴とする収納ケース付定規セット
【請求項２】
前記の材料に対する印刷は、オフセット印刷を用いて絵や文字、写真などを印刷した請求項１に記載の収納ケース付定規セット
【考案の詳細な説明】
【技術分野】
【０００１】  本考案は主として、フィルムシート材料に対して多目的に使用できる利便性の高いノベルティー商品に関するものである。
【背景技術】
【０００２】  従来のトムソン打ち抜き型定規セットは、シートより部品を切り取って使用するのみだった。
【考案が解決しようとする課題】
【０００３】  従来のトムソン打ち抜き型定規セットは、シートより切り離した定規の紛失を防止するためには別途ケースが必要だった。
【０００４】  少なからずプラスチック製品は廃棄処理の段階で環境に負荷をかけてしまうという課題を持っているが、本考案である収納ケース付定規セットの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００５】  シート構成物の中にあらかじめ、組み立てることで定規、三角定規、二等辺案角定規、分度器を収納できるケースを加えていることで、紛失の可能性を低くし携帯用にも使用できる。
【考案実施の形態】
【０００６】  図１は本考案の収納ケース付定規セット（１）の視図である。図１で収納ケース付定規セット（１）には直定規（ａ）２等辺直角定規（ｂ）分度器（ｃ）直角定規（ｄ）収納用ケース（２）が配置されている。そのためこの状態では直定規（ａ）２等辺直角定規（ｂ）分度器（ｃ）直角定規（ｄ）収納用ケース（２）は分離されておらずシートに半固定された状態である。
【０００７】  図２は本考案の収納ケース付定規セット構成物の収納用ケース（２）を組み立てた場合の斜図である。このとき収納用ケースの蓋部（ｅ）は折線１（ｆ）折線２（ｇ）によって開閉可能になっている。また差し込み部（ｈ）切込み部（ｉ）の組み合わせにより蓋部が固定され、内容物の落下を防止する構造となっている。
【０００８】  この収納ケース付定規セット（１）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【図面の簡単な説明】
【０００９】
【図１】本考案の収納ケース付定規セットの視図
【図２】図１収納用ケースの斜図
【符号の説明】
【００１０】１  収納ケース付定規セット
２  収納用ケース
ａ  直定規
ｂ  ２等辺直角定規
ｃ  分度器
ｄ  直角定規
ｅ  収納ケース蓋部
ｆ  折線１
ｇ  折線２
ｈ  差し込み部
ｉ  切込み部
【図１】
0003192666.tif 000003
【図２】
0003192666.tif 000004
(57)【要約】      （修正有）【課題】見栄えが良くなり、台所の美観向上に繋がり、収納もし易くなり便利になるフライパンカバーを提供する。【解決手段】フライパン１の本体部２を包み込むために巾着袋３を用い、巾着袋３の上方には開口部を設け、巾着袋３の開閉を行うために、巾着袋３の上部左右に係止具となる紐５を取付け、フライパン１の本体部２を巾着袋３で覆い包むようにする。【選択図】図２
0003192669.tif 000002
【実用新案登録請求の範囲】
【請求項１】
フライパンの本体部を包み込むために袋を用い、袋の上方には開口部を設け、袋の開閉を行うために、袋の左右に綴じ部を取付け、フライパン本体部を袋で覆い包むようにしたフライパンカバー。
【請求項２】
袋の素材に不燃性の材質を用いた請求項１のフライパンカバー。
【考案の詳細な説明】
【技術分野】
【０００１】  本考案は台所のフライパンに関するものである。
【背景技術】
【０００２】  従来、台所で使用しているフライパンの裏側は汚れが目立っているものである。そして、その裏側はむき出しで見苦しいものであった。
【考案の概要】
【考案が解決しようとする課題】
【０００３】  フライパンの裏側は、新しい時は良いが、使いこなして来ると、どうしても磨きむらが出て、黒ずみが付着して見苦しいかった。
本考案は以上の問題点を解決するためになされたものである。
【課題を解決するための手段】
【０００４】  フライパンの本体部を包み込むために袋を用い、袋の上方には開口部を設け、袋の開閉を行うために、袋の左右に係止具を取付け、フライパン本体部を袋で覆い包むようにしたフライパンカバー。
【考案の効果】
【０００５】  従来フライパンの裏側が見苦しく、見栄えが悪かったフライパンの収納も、本考案の袋に包み込むことで、見栄えが良くなり、台所の美観向上に繋がった。又、袋に仕舞うことにより、収納もし易くなり便利になった。
【図面の簡単な説明】
【０００６】
【図１】本考案の斜視図
【図２】本考案の使用状態図
【考案を実施するための形態】
【０００７】  以下、本考案の実施の形態を説明する。
（イ）フライパン（１）の本体部（２）を覆うために、巾着袋（３）を用いる。
（ロ）巾着袋（３）の上方に開口部（４）を設け、開口部（４）を綴じるために、巾着袋  （３）の上部左右に紐（５）を取り付けられ、左右の紐（５）を結ぶことにより、開口  部（４）が閉じることが出来る。
本考案の実施例では紐（５）で説明したが、袋の開口部（４）を綴じるための綴じ部に面ファスナーを用いても良い。
（ハ）巾着袋（３）の素材として不燃性の材質を採用することが好ましい。
本考案は以上のような構造である。
本考案を使用するときは、巾着袋（３）の上方の開口部（４）を開き、使用したフライパン（１）を綺麗に洗って乾燥した状態の本体部（２）の下側から、巾着袋（３）を用いて、本体部（２）の全体を覆い包み、左右の紐（５）でフライパン（１）の本体部（２）の上で結ぶ。このように巾着袋（３）でフライパン（１）の特に黒焦げに成っている底面部（６）を隠すことが出来るので、台所で吊るして、収納しても黒ずんだ状態が隠れているので、台所の美観を損なうことは無くなった。
又、巾着袋（３）をカラフルな色にする事によって、台所も明るくなる。更に、台所でのレンジでは火を扱うので、巾着袋（３）の素材を不燃性に用いることによって、火災の心配も生ない。
フライパン（１）の大きさは色々な寸法があるので、大中小の巾着袋（３）を用意することによって、形状に対応出来る。
【符号の説明】
【０００８】１フライパン、２本体部、３巾着袋、４開口部、５紐、６底面部
【図１】
0003192669.tif 000003
【図２】
0003192669.tif 000004
(57)【要約】      （修正有）【課題】太陽熱温水器で作られた温水を利用して、電気をつくる発電装置を提供する。【解決手段】太陽熱温水器１で作られた温水を温水を通す配管３によって、予め冷水槽４におかれた、チューブ状の熱発電装置２内に導き、熱発電装置２の内部と外部の温度差によって電気を起こす。作られた電気を金属線５を使って取出し利用したり、蓄電器に蓄えたりする。【選択図】図１
0003192664.tif 000002
【実用新案登録請求の範囲】
【請求項１】
太陽熱温水器で作った温水を配管を通して冷却水内に置かれた、チュ−ブ状の形状の熱発電装置内の内部に導き、温水の持つ熱を電気に変換することを特徴とする太陽熱温水器を利用した発電装置
【考案の詳細な説明】
【技術分野】
【０００１】本考案は、太陽熱温水器で温めた温水と、冷却水の温度差を利用して発電する、発電装置に関するものである。
【背景技術】
【０００２】従来、太陽を利用する発電は、太陽光発電のみだった。
【考案の概要】
【考案が解決しようとする課題】
【０００３】太陽の熱を利用して、経済的に効率よく発電をする機能を提供する。
【課題を解決するための手段】
【０００４】本考案は、余剰排熱を利用して発電することのできる、熱発電素子を使って、太陽熱温水器で温められた温水を利用して発電することができる。
【考案の効果】
【０００５】従来の太陽光発電では、設置料が高くつき、ガラス面の掃除等、積極的なメンテナンスを必要としたが、太陽熱温水器はそれほどのメンテナンスを必要としない。人口減により放棄田が多くなると予測されている土地に、設置料が安価で維持費も安く、長期に渡って利用できる太陽熱温水器を設置して効率良く発電することができる。
太陽光発電は、昼間しか発電できないが、太陽熱温水器を使えば夜間でも発電可能である。
【図面の簡単な説明】
【０００６】
【図１】太陽熱温水器とつなげた熱発電装置
【考案を実施するための形態】
【０００７】放棄田等未利用の土地に１の太陽熱温水器を設置する。冷却水が入った水槽を用意し、その中にチュ−ブ状になった熱発電装置を置き、２の温水配管を通して前記熱発電装置内に前記太陽熱温水器で作られた温水を導きチュ−ブの外の冷水との温度差で、温水の流れと垂直の方向に電気を起こす。
【０００８】作られた電気を５の金属線を使って取出し利用したり、蓄電器に蓄めたりする。
【符号の説明】
【０００９】１  太陽熱温水器
２  熱発電装置
３  太陽熱温水器でつくられた温水を通す配管
４  冷水が入った冷水槽
５  作られた電気を取り出す金属線
【図１】
0003192664.tif 000003
(57)【要約】      （修正有）【課題】爪に装着した際に手の甲側からだけでなく全方位的な意匠を楽しむことができる立体装飾が施された人工爪を提供する。【解決手段】少なくとも背１１を識別可能な胴体１２と、胴体の背と反対側に向いた顔１３を識別可能であり、胴体に取り付けられた頭部１４と、を有する動物の立体モチーフ１０が形成された人工爪であって、動物の立体モチーフは、背を人工爪表面４側に配置し、かつ、頭部を人工爪先端から突出させて顔の正面が人工爪裏面５側に露出するように配置する。【選択図】図３
0003192663.tif 000002
【実用新案登録請求の範囲】
【請求項１】
少なくとも背を識別可能な胴体と、該胴体の背と反対側に向いた顔を識別可能であり、前記胴体に取り付けられた頭部と、を有する動物の立体モチーフが形成された人工爪であって、
前記動物の立体モチーフは、前記胴体の背を人工爪表面側に配置し、かつ、前記頭部を人工爪先端から突出させて該頭部の顔の正面が人工爪裏面側に露出するように配置したことを特徴とする人工爪。
【考案の詳細な説明】
【技術分野】
【０００１】  本発明は、人工爪に関し、特に立体的な装飾が施された人工爪に関する。
【背景技術】
【０００２】  従来、ジェルネイルを施したネイルチップや、立体的なパーツを取り付けたネイルチップなどの人工爪が広く実用化されている（例えば特開２００９−２３３２９１号公報参照）。また、爪に対してネイルアートなどの人工的な美的装飾を施す技術が広く知られている。
【考案の概要】
【考案が解決しようとする課題】
【０００３】  本考案は、爪に装着した際に手の甲側からだけでなく全方位的な意匠を楽しむことができる立体装飾が施された人工爪を提供する。
【課題を解決するための手段】
【０００４】  本考案は、少なくとも背を識別可能な胴体と、該胴体の背と反対側に向いた顔を識別可能であり、前記胴体に取り付けられた頭部と、を有する動物の立体モチーフが形成された人工爪であって、前記動物の立体モチーフは、前記胴体の背を人工爪表面側に配置し、かつ、前記頭部を人工爪先端から突出させて該頭部の顔の正面が人工爪裏面側に露出するように配置したことを特徴とする。
【考案の効果】
【０００５】  本考案によれば、人工爪の表面側からの視点だけでなく、裏面側からの視点での全方位的な意匠性を実現でき、人工爪の全体的な美的感覚を引き起こすことができる。
【図面の簡単な説明】
【０００６】
【図１】人工爪の斜視図である。
【図２】人工爪を表面側から見た図である。
【図３】人工爪を側面側から見た図である。
【図４】人工爪を裏面側から見た図である。
【図５】人工爪を製造する工程を示す図である。
【考案を実施するための形態】
【０００７】  図１から図４は、人工爪の構成を示す図であり、これらの図を参照して、本考案の一実施形態に係る人工爪１について説明する。本実施形態における人工爪１とは、爪２の表面にシール、接着剤等を用いて接着することにより装着するための土台３を有するもの（いわゆる付け爪）に加えて、爪２自体に土台３を形成し、その上にスカルプチュア、ジェルネイル等で盛り付けるように形成するものを広く含む。土台３は爪２と同じ又はそれよりも大きい表面積を有する部位である。
【０００８】  人工爪１は、爪２に装着した際に表面（手の甲側）となる表面４、及び、爪２に装着する側の面（手の平側）となる裏面５を有する。
人工爪１の土台３には、動物（図示では猫）の立体モチーフ１０が形成されている。立体モチーフ１０は、背１１を識別可能な胴体１２、顔１３を識別可能であり、胴体１２の上部に配置される頭部１４、同じく胴体１２の上部に配置される前脚１５、胴体１２の下部に配置される後脚１６を有する。
【０００９】  立体モチーフ１０は、人工爪１の表面４側に背１１を向けた状態で形成される。そして、頭部１４は、人工爪１の土台３の先端から突出した状態で形成される。言い換えれば、頭部１４の背面（後頭部）は人工爪１の表面４側を向き、頭部１４の正面（顔１３）は人工爪１の裏面５側に露出した状態で形成されている。
また、前脚１５は、頭部１４と共に土台３の先端から突出し、裏面５側に延出された状態で形成される。つまり、前脚１５と顔１３が人工爪１の裏面５側から視認でき、顔１３を土台３の先端から突出させ、かつ、前脚１５を人工爪１の先端に引っ掛けたような意匠が構成される。
【００１０】  以上のように、立体モチーフ１０は、背１１を人工爪１の表面４側に向けて配置し、顔１３と前脚１５を人工爪１の裏面５側に向けて配置するように形成されている。そして、立体モチーフ１０が形成された人工爪１を爪に装着した際に、手の甲側からは、立体モチーフ１０の背１１、後脚１６、及び頭部１４の後頭部が視認可能であり、手の平側からは、立体モチーフ１０の顔１３及び前脚１５が視認可能となる。つまり、人工爪１の表面４側及び裏面５側からの立体モチーフ１０の全方位的な意匠性を実現でき、人工爪１の美的感覚を起こすことが可能である。
【００１１】  次に、図５を参照して、人工爪１の製造工程について説明する。
まず、立体モチーフ１０を形成する下準備として、人工爪１を装着する爪２の表面（若しくは、爪２に取り付ける付け爪となる人工爪１の表面）にジェルを付けて土台３を形成する。
【００１２】  次に、スカルプチュア（アクリル樹脂）で、頭部１４から作成する。頭部１４を作成する際、土台３の先端から突出するように頭部１４の根元側（首元）から積み上げるように形成する。
頭部１４を作成した後、頭部１４の下端から胴体１２を作成する。胴体１４を作成する際、土台３の表面に頭部１４から連続するように形成する。
【００１３】  続いて、胴体１２を作成した後、胴体１２の頭部１４の両側（肩口）から前脚１５を作成する。前脚１５は、人工爪１の表面４となる土台３から人工爪１の裏面５側に延出して形成される。なお、前脚１５は、土台３（人工爪１）の先端にしがみついているように設けることが意匠的に好ましい。
胴体１２を作成した後、胴体１２の下端から後脚１６を作成する。後脚１６は、人工爪１の表面４となる土台３上に形成される。なお、前脚１５と後脚１６を形成する順序は、どちらが先でも構わない。
【００１４】  土台３に頭部１４，胴体１２、前脚１５、後脚１６を形成した後、全体をアクリル絵の具でペイントし、頭部１４の顔模様の作成、胴体１２等の色付けを行う。ペイント後、全体をジェルでコーティングして人工爪１が製造される。
【００１５】  以上の実施形態では、立体モチーフ１０の一例として猫を採用しているが、これに限らず、一般的に胴体と認識できる部位に顔が認識できる頭部が付いている動物、並びに、頭部に加えて胴体から腕と脚、若しくは、複数の脚が生えた動物であれば同様に適用できる。さらに、実在の動物に限らず、キャラクター、空想上の動物等、実在しない架空の動物等についても同様である。
【符号の説明】
【００１６】  １：人工爪、３：土台、４：表面、５：裏面、１０：立体モチーフ、１１：背、１２：胴体、１３：顔、１４：頭部、１５：前脚、１６：後脚
【図１】
0003192663.tif 000003
【図２】
0003192663.tif 000004
【図３】
0003192663.tif 000005
【図４】
0003192663.tif 000006
【図５】
0003192663.tif 000007
(57)【要約】      （修正有）【課題】簡易にインデックスが作れる文書用紙を提供する。【解決手段】文書用紙の右上端部と左下端部に、斜めに複数の切取り線のある項目欄２を設ける。この文書用紙を用いた書類内の、項目の最初のページにおいて右上端の項目欄の内側から外側へ順に項目名を手書きし、これらを残すように直近の切取り線で関連ページ全てを切断又は山折する。表紙は、これらの項目が見えるように切断又は山折する。左下の項目欄も同様に使えるが、ここでは右上端部に書いた項目のサブ項目を手書きし、同様に切断又は山折する。項目の最初のページも、サブ項目が見えるように切断又は山折する。以上により、とじ合わせた書類の表には各項目が現れ、各項目の最初のページにはサブ項目が現れ、インデックスは完成する。【選択図】図１
0003192661.tif 000002
【実用新案登録請求の範囲】
【請求項１】
右上端部と左下端部に、斜めに複数の切取り線が入った項目欄を設けた文書用紙。
0003192661.tif 000003
0003192661.tif 000004
0003192661.tif 000005
【考案の詳細な説明】
【技術分野】
【０００１】
本考案は、Ａ４等の文書用紙の右上端部と左下端部に斜めにつけた切取り線による項目欄を活用し、簡易にインデックスが作れる文書用紙に関するものである。
【背景技術】
【０００２】
従来は、別途用意したインデックスを書類から突き出るように貼る形式のものだった。
【考案の概要】
【考案が解決しようとする課題】
【０００３】
別途インデックスを用意し、狭い書込み欄に記入しなくてはならない。それを書類に整然と貼ることは困難であり、  また、インデックスを貼り付けると用紙からはみ出しや引っかかりができるため、重ね印刷ができないなどの不都合があった。
【課題を解決するための手段】
【０００４】
Ａ４などの文書用紙の右上端部と左下端部に斜めに切り取り線を入れた項目欄を設け、ここに項目名を手書きし、その外側の切取り線で関連ページを切断又は山折りする。
【考案の効果】
【０００５】
項目欄は広く取れ、書類の表紙や項目の最初のページには関連項目欄が整然と現れ、すぐに所定のページを開くこともできる。また、用紙からのはみ出しや引っかかりがないため重ね印刷も可能など、従来のインデックスの不都合さは解消される。
【図面の簡単な説明】
【０００６】
【図１】図１は未使用の文書用紙を示す平面図である。
【図２】図２はすべての書類を重ねた状態を示す平面図である。
【図３】図３は項目のページを開いた状態を示す平面図である。
【考案を実施するための形態】
【０００７】
本考案の文書用紙は、図１に示すように、右上端部と左下端部に斜めに複数の切取り線１の入った項目欄２が設けられている。切取り線１は、切り取り又は山折りできるようにミシン目としても、印刷してもよい。
【実施例１】
【０００８】
図３に示すように、書類の各項目の最初のページにおいて、項目欄２の内側から順に項目名を手書きし、関連ページ全てについて手書きを残すように直近の切取り線１で切断又は山折する。
【０００９】
表紙は、束ねたときこれらの項目が見えるように、図２に示すように、表紙の項目欄２も切断又は山折りして綴じる。
【００１０】
左下の項目欄２についても同様の使い方ができるが、ここでは図３に示すように、右上端部に書いた項目のサブ項目名を手書きし、その関連ページ全てについて手書きを残すように直近の切取り線で切断又は山折りする。次に、サブ項目名が見えるように項目の最初のページの端部も切断又は山折りして綴じる。
【００１１】
なお、会議における意見発表原稿及び配布資料として用いる場合は、図２、図３に示すように項目欄のはじめにページも書き入れておく。発表者の原稿は項目欄で切断又は山折するが、配布資料については発表者が開くページを教えればよいので、切断等は不要である。
【符号の説明】
【００１２】
１    切取り線
２    項目欄
【図１】
0003192661.tif 000006
【手続補正書】
【提出日】平成26年7月23日(2014.7.23)
【手続補正１】
【補正対象書類名】実用新案登録請求の範囲
【補正対象項目名】全文
【補正方法】変更
【補正の内容】
【実用新案登録請求の範囲】
【請求項１】
右上端部と左下端部に、斜めに複数の切取り線が入った項目欄を設けた文書用紙
【手続補正２】
【補正対象書類名】図面
【補正対象項目名】全図
【補正方法】変更
【補正の内容】
【図１】
0003192661.tif 000007
【図２】
0003192661.tif 000008
【図３】
0003192661.tif 000009
(57)【要約】      （修正有）【課題】ベッドの手すり等に固定でき、病室や家庭などで横臥した状態で生活に必要な小物類を整理収納し、取り出す事を可能としたポケット付き二つ折りシートを提供する。【解決手段】シート１及び２にポケット３それぞれ付け、裏面に面ファスナーを縫製によって固定したものであり、ベッドの手すりに二つ折りして取り付けて使用できる。【選択図】図１
0003192656.tif 000002
【実用新案登録請求の範囲】
【請求項１】
ベッドに付属する手すりなどの各種器具に二つ折りなどにしてかける、小物などを入れるポケットが付いたシート。
【考案の詳細な説明】
【技術分野】
【０００１】  本考案になるポケット付き二つ折りシートは、ベッドの形状に応じてベッドの左右の手すりや枕元手すりなどにかけて、複数のポケットを付けてあり、日常生活に使用する小物類を整理収納して、家庭、病院、介護施設のベッドなどで使用するものである。
【背景技術】
【０００２】  病人や高齢者をはじめ、ベッドの利用者は、日常の物品の整理に困ることが多くある。従来は、枕元やベッドの下などに収納の引き出し付きの物入れや小箱などを置いているが、寝ながら引き出しや小箱のふたを開け閉めしたりするのは不便であり、小物類を簡単に整理収納できる物が必要とされている。
【考案の概要】
【考案が解決しようとする課題】
【０００３】  本考案は寝ながら手を伸ばし、常時不自由なく出し入れができ、落下や破損の恐れが少なく、かつ、室内のインテリアとしても働き、ベッド器具の表面を覆って装飾性を与え、安価かつ着脱が簡易であり、洗浄、洗濯にも対応できる、多機能のベッド用収納具を本考案では提供する事を目的としている。
【課題を解決するための手段】
【０００４】  上記の目的を達成するために適切なベッド付近の位置としてはベッドの形状に応じて左右のサイドガード類、枕元などの手すりが適切である。ここにポケット付きのシートをかけて、裏表に配置したポケットに形状の異なる様々な小物類、メガネ、筆記具、テレビやベッド等のリモートコントローラ、常用の飲食物などを整理して入れておけば、置き忘れや紛失が著しく減る。シートは二つ折り型で、裏面に左右８点、中央４点以上、合計１２点以上のマジックシート、ホック等の器具を用いれば、多くの一般的な手すり等の形状に適合して、固定が極めて安定し、落下や不意の移動がない。またポケットをインテリアシートの二つ折り両面に配置すれば使う頻度や形状に応じて表面と裏面で整理もでき便利である。大物と小物でポケットのサイズを変え、複数配置すれば取り出しやすさや整理のしやすさが両立する。
【考案の効果】
【０００５】  以上の説明から明らかなように、本考案になるポケット付き二つ折りシートは、ベッドに横臥するあらゆる人の生活空間の改善や気分転換に最適であり、健常者、疾病を持つもの、障がい者、健常者、年齢性別などの区分とその特性により、好みの図柄や機能のものを使用できる。このために病室、家庭を問わず、ベッド横臥の長い者の個性に応じて生活空間の雰囲気を変え、横臥環境を向上させることができる。また、材質によって安価かつ簡便に量産でき、洗濯や拭き取りで清潔を保つこともできるのである。
【図面の簡単な説明】
【０００６】
【図１】本考案の表面の斜視図である。
【図２】本考案の裏面の斜視図である。
【図３】本考案の使用例として、ベッド前方にて使用している図である。
【図４】本考案の使用例として、ベッド左方にて使用している図である。
【図５】本考案の使用例として、ベッド右方にて使用している図である。
【図６】本考案の試作品の正面写真である。
【図７】本考案の使用例として図４について試作品を用いた使用例である。
【図８】本考案の使用例として図５について試作品を用いた使用例である。
【考案を実施するための形態】
【０００７】  ポケット複数付き二つ折りシート型インテリアは、布地またはビニール状の化学繊維などで作成することができるが、いずれもインテリアとして柄や材質を変更することでベッドのインテリアとして用いることができ、室内空間の印象を良い方向に変えることができる。布製にすれば洗濯も行うことができ、清潔を保つこともできる。厚手の布を用いて作成すればクッション状の作用もあり、手すりに不意に手足をぶつけた時の防御にもなり、安全にも役立つ。配置によっては横臥したままの出し入れも可能なので、起床せずに収納物を使用し、利便性がある。ビニールを表面に用いれば、拭き取り等で清潔を保つことができ、また、汚れにくい。中入の材質を工夫すれば（化繊綿など）、上記クッション状の作用や洗浄の利便も保つことができる。
【実施例】
【０００８】  実施例については図面を参照して説明をする。
［図１］はポケット複数付き二つ折りシートの斜視図であり、例としてシート１及びシート２にはポケット３が縫い付けてある。
［図２］はポケット複数付き二つ折りシートの裏面の斜視図でありシート１の裏面の縁に固定方法の例としてマジックテープ４が縫い付けてある。
［図３］は使用例である。ベッドの手すり５にポケット複数付き二つ折りシートが固定されている。
［図４］のように手すり６などの位置にもベッドの形状に応じて固定されている。
［図５］のように手すり７などの位置にもベッドの形状に応じて同じく固定されている。
［図６］の試作品写真のように［図１］ポケットに小物類を収納する。
［図７］の試作品写真が［図４］例の具体的な状態の一例である。
［図８］の試作品写真が［図５］例の具体的な状態の一例である。
【産業上の利用可能性】
【０００９】本考案は、ポケット付き二つ折りシートを製造販売する産業にての利用を想定する。
【符号の説明】
【００１０】    １  シートのポケット面
２  二つ折りにした場合の１の裏面になるシートのポケット面
３  シートに縫製などで固定されたポケット
４  シート裏面にある手すりなどに固定するマジックテープ等
５  ベッドの前方手すり
６  ベッドの右方手すり
７  ベッドの左方手すり
【図１】
0003192656.tif 000003
【図２】
0003192656.tif 000004
【図３】
0003192656.tif 000005
【図４】
0003192656.tif 000006
【図５】
0003192656.tif 000007
【図６】
0003192656.tif 000008
【図７】
0003192656.tif 000009
【図８】
0003192656.tif 000010
(57)【要約】      （修正有）【課題】背泳中に、プールサイドに頭部をぶつけた際、衝突による衝撃から頭部を保護するスイミングキャップを提供する。【解決手段】スイミングキャップ本体１の頭頂部に相当する部分に、頭部を衝撃から保護するために、ゴム又はプラスティック等の弾性材を、衝撃緩和材２として設ける又は貼り付ける。このようにすることにより、衝突による衝撃を緩和することができる。【選択図】図１
0003192643.tif 000002
【実用新案登録請求の範囲】
【請求項１】
スイミングキャップの天井部分に、スイミング中、プールサイドに頭部をぶっつけた際に、頭部を衝撃から保護するため、スイミングキャップの頭頂部に相当する部分に、ゴム、又はプラスティック等の弾性材を、衝撃緩和材として、キャップの天井部に設けた又は貼り付けたスイミングキャップ。但し、衝撃緩和材の材質、厚み、面積等は問いません。
【考案の詳細な説明】
【技術の分野】
【０００１】本考案は背泳中プールサイドに頭部をぶっつけた際に、頭部を保護するため、スイミングキャップの天井部分の内壁に、衝撃緩和材を設けるか、又は貼り付けたスイミングキャップに関するもの。
【背景技術】
【０００２】従来のスイミングキャップには、背泳中プールサイドに頭部をぶっつける危険性は高いが、頭部を衝撃から保護するものは無かった。ゆえに、非常に危険である。
【考案の概要】
【０００３】最近健康保持のため、中高年者のスイミングが盛んになっている。ところが、背泳においては、進行方向が見えづらいため、プ−ルサイドに頭部をぶっつける危険性が大きく、背泳の経験者はプールサイドに頭部をぶっつけた危険な経験を有している人は多い。その衝撃で脳血管障害を引き起こす事態も十分考えられる。
そこで本考案はスイミングキャップの頭頂部分に相当する、天井部分の内壁に、弾性材（ゴム又はプラスティック等）を設けるか又は貼り付けることにより頭部を保護しょうとするものである。
【考案が解決しようとする課題】
【０００４】本考案はプールサイドに頭部をぶっつけた際、その衝撃から頭部を保護することを目的として、スイミングキャップの頭頂部に相当する天井部分の内壁に、衝撃緩和材として（ゴム、又はプラスティック等）の弾性材を設けるか、又は貼り付けることにより、頭部を保護しようとするものである。
【課題を解決するための手段】
【０００５】プールサイドに頭部をぶっつけた際、頭部に対する衝撃を緩和するため、スイミングキャップの天井部分の内壁に、衝撃緩和材を設けるか、又は貼り付けること。
【考案の効果】
【０００６】衝撃緩衝材を貼りつけたスイミングキャップを着用することにより、従来より安全に水泳ができる効果に寄与する。
【図面の簡単な説明】
【０００７】
【図１】本考案に係るスイミングキャップの平面図である。
【図２】スイミングキャップの側面図である。
【図３】スイミングキャップの側面断面図である。
【考案を実施するための最良の形態】
【０００８】スイミングキャップの天井部分に相当する内壁に、プールサイドに頭部をぶっつけた際に頭部を保護するために、衝撃緩和材として、ゴム又はプラスティック等の弾性材を設けるか、又は貼り付ける。
【実施例】
【０００９】以下添付図面に従って実施例を説明する。１はスイミングキャップの天井部分の内壁に、プールサイドに頭部をぶっつけた際、頭部の衝撃を緩和するために衝撃緩和材として、ゴム又はプラスティック等の弾性材を設けるか、又は貼り付ける。２はスイミングキャップの側面図である。３はスイミングキャップの天井部分の内壁に前記衝撃緩和材を設けたところを表す、側面の断面図である。
【符号の説明】
【００１０】  １  スイミングキャップ本体
２  衝撃緩和材
【図１】
0003192643.tif 000003
【図２】
0003192643.tif 000004
【図３】
0003192643.tif 000005
【手続補正書】
【提出日】平成26年6月6日(2014.6.6)
【手続補正１】
【補正対象書類名】実用新案登録請求の範囲
【補正対象項目名】全文
【補正方法】変更
【補正の内容】
【実用新案登録請求の範囲】
【請求項１】
スイミングキャップの頭頂部に相当する部分に、頭部を衝撃から保護するために、ゴム又はプラスティック等の弾性材を、衝撃緩和材として設けた又は貼り付けたスイミングキャップ。